(57)【要約】【課題】縫製部における糸のほつれが生じない袋体およびその製法を提供する。【解決手段】本発明の袋体１は、縫製部が融着層８により接着されてなるもので、表側生地２と裏側生地３との間に熱接着テープ４を配置する手順と、前記生地２、３の熱接着テープ４が配置された個所を縫製する手順と、縫製部を加熱して熱接着テープ４を溶融し、同縫製部を融着する手順とにより製作される。【選択図】図９
2009119194.tif 000002
【特許請求の範囲】
【請求項１】
縫製部が融着層により接着されてなることを特徴とする袋体。
【請求項２】
下糸に溶着糸または熱接着糸が用いられ、前記溶着糸または熱接着糸が溶着または熱接着されてなることを特徴とする請求項１記載の袋体。
【請求項３】
針穴が融着層により塞がれていることを特徴とする請求項１記載の袋体。
【請求項４】
針穴が溶着された溶着糸または熱接着された熱接着糸によっても塞がれていることを特徴とする請求項３記載の袋体。
【請求項５】
袋体が、布団カバー、布団側または枕カバーとされてなることを特徴とする請求項１記載の袋体。
【請求項６】
縫製部が融着層により接着されてなる袋体の製法であって、
表側生地と裏側生地との間に熱接着テープを配置する手順と、
前記生地の熱接着テープが配置された個所を縫製する手順と、
縫製部を加熱して熱接着テープを溶融し、同縫製部を融着する手順
とを含むことを特徴とする袋体の製法。
【請求項７】
表側生地とファスナー生地との間に熱接着テープを配置する手順と、
裏側生地とファスナー生地との間に熱接着テープを配置する手順と、
前記生地の熱接着テープが配置された個所を縫製する手順と、
縫製部を加熱して熱接着テープを溶融し、同縫製部を融着する手順
とが付加されていることを特徴とする請求項６記載の袋体の製法。
【請求項８】
下糸が溶着糸または熱接着糸とされ、熱接着テープを溶融時に前記溶着糸が溶着され、または熱接着糸が熱接着されることを特徴とする請求項６または７記載の袋体の製法。
【発明の詳細な説明】
【技術分野】
【０００１】
本発明は、袋体およびその製法に関する。さらに詳しくは、布団カバー、枕カバー、布団のおける外側生地などの布製の袋体であって、縫製時に生じた針穴が消失されてなる袋体およびその製法に関する。
【背景技術】
【０００２】
従来より、布団においては縫製時に布団側にできる針穴からのダニの布団内への侵入が問題とされ、その対策が種々提案されている。
【０００３】
例えば、特許文献１には、図１０に示すように、表地１０１と裏地１０２とで袋状に形成され、内部に羽毛または羽毛寝具を収納する羽毛寝具用袋体１００において、表地１０１と裏地１０２の縫合に際して縫合部１０４に綿製または布製のテープ１０５、１０７を介在させてなるものが提案されている。
【０００４】
この特許文献１における羽毛寝具用袋体１００においては、綿製または布製のテープ１０５、１０７の弾力性を利用して縫合部１０４の気密性を確保してダニの出入りを防止する、という構成とされているところから、縫合部１０４における糸がほつれなどした場合には、縫合部１０４に部分的に隙間ができてダニの出入りが可能となる、という問題がある。
【０００５】
なお、縫製をしない布団については、特許文献２および特許文献３に提案がなされている。
【特許文献１】特開平９−３２２８４５号公報
【特許文献２】特開２０００−１６６７２９号公報
【特許文献３】実用新案登録第３１３２５１６号公報
【発明の開示】
【発明が解決しようとする課題】
【０００６】
本発明はかかる従来技術の課題に鑑みなされたものであって、縫製部における糸のほつれが生じない袋体およびその製法を提供することを目的としている。
【課題を解決するための手段】
【０００７】
本発明の袋体は、縫製部が融着層により接着されてなることを特徴とする。
【０００８】
本発明の袋体においては、下糸に溶着糸または熱接着糸が用いられ、前記溶着糸または熱接着糸が溶着または熱接着されてなるのが好ましい。
【０００９】
また、本発明の袋体においては、針穴が融着層により塞がれているのが好ましい。
【００１０】
さらに、本発明の袋体においては、針穴が溶着された溶着糸または熱接着された熱接着糸によっても塞がれているのが好ましい。
【００１１】
本発明の袋体の製法は、縫製部が融着層により接着されてなる袋体の製法であって、表側生地と裏側生地との間に熱接着テープを配置する手順と、前記生地の熱接着テープが配置された個所を縫製する手順と、縫製部を加熱して熱接着テープを溶融し、同縫製部を融着する手順とを含むことを特徴とする。
【００１２】
本発明の袋体の製法においては、表側生地とファスナー生地との間に熱接着テープを配置する手順と、裏側生地とファスナー生地との間に熱接着テープを配置する手順と、前記生地の熱接着テープが配置された個所を縫製する手順と、縫製部を加熱して熱接着テープを溶融し、同縫製部を融着する手順とが付加されているのが好ましい。
【００１３】
また、本発明の袋体の製法においては、下糸が溶着糸または熱接着糸とされ、熱接着テープを溶融時に前記溶着糸が溶着され、または熱接着糸が熱接着されるのが好ましい。
【００１４】
しかして、本発明においては、袋体は、例えば、布団カバー、布団側または枕カバーとされる。
【発明の効果】
【００１５】
本発明によれば、縫製部における糸のほつれが生じないため、そのほつれた個所から袋体内にダニの侵入するおそれがないという優れた効果が得られる。
【００１６】
また、本発明の好ましい形態によれば、針穴が塞がれるので、針穴から袋体内にダニの侵入するおそれがないという優れた効果が得られる。
【発明を実施するための最良の形態】
【００１７】
以下、添付図面を参照しながら本発明を実施形態に基づいて説明するが、本発明はかかる実施形態のみに限定されるものではない。
【００１８】
図１に、本発明の一実施形態の袋体を概略図で示す。本実施形態の袋体１は、具体的には、布団カバーや布団側（以下、布団カバーで代表する）とされ、図中、斜線を付した部分にファスナーが本縫い縫製により取付けられ、またその他の周囲はロック（インター）縫製により縫合されている。
【００１９】
次に、図を参照しながら、かかる構成とされた布団カバー１の製法について説明する。
【００２０】
手順１：図１に示す布団カバー１の左端部１ａ、上端部１ｂ、下端部１ｃならびに右端部上部１ｄおよび下部１ｅに対応する表側生地２および裏側生地３の間に熱接着テープ４を配置して挟み込む（図２参照）。この熱接着テープ４は、共重合ポリアミド樹脂からなるものとされ、例えば、フューズテープ（（有）フルネス社商品名）とされる。
【００２１】
また、表側生地２および裏側生地３は、例えば、高密度織物生地、例えばアルファイン（東洋紡（株）社商品名）とされる。
【００２２】
手順２：熱接着テープ４が挟み込まれた表側生地２および裏側生地３の左端部、上端部、下端部ならびに右端部上部および下部をロック（インター）縫製１０により縫合する（図３参照）。図３に示すように、このロック（インター）縫製１０においては、本縫い１１と環縫い１２とが同時になされる。この場合、本縫い１１における下糸には、ナイロン糸とポリエステル糸とを縒り込んだ溶着糸（熱接着糸）、例えばメルター熱接着糸（（株）フジックス社商品名）を用いる。
【００２３】
手順３：図１に示す布団カバー１のファスナー取付位置１ｆに対応する表側生地２の端部と、ファスナー生地５の一端部との間に熱接着テープ４を配置して挟み込む（図４参照）。
【００２４】
手順４：熱接着テープ４が挟み込まれた表側生地２の端部とファスナー生地５の一端部とを本縫い２１縫製する（図５参照）。この場合も、下糸には、ナイロン糸とポリエステル糸とを縒り込んだ溶着糸（熱接着糸）を用いる。
【００２５】
手順５：図１に示す布団カバー１のファスナー取付位置１ｆに対応する裏側生地３の端部と、ファスナー生地５の他端部との間に熱接着テープ４を配置して挟み込む。
【００２６】
手順６：熱接着テープ４が挟み込まれた裏側生地３の端部と、ファスナー生地５の他端部とを本縫い２１縫製する。この場合も、下糸には、ナイロン糸を縒り込んだ溶着糸（熱接着糸）を用いる。
【００２７】
手順７：縫製により袋状とされた布団カバー１の縫製部を１４０〜１６０℃によりアイロンがけし、熱接着テープ４および溶着糸を溶融させて表側生地２と裏側生地３、表側生地２とファスナー生地５、および裏側生地３とファスナー生地５とを融着層８により接着する（図７参照）。
【００２８】
これにより、図６に示すように、表側生地２と裏側生地３、表側生地２とファスナー生地５、および裏側生地３とファスナー生地５との間に生じていた隙間６が、図７に示すように、表側生地２と裏側生地３、表側生地３とファスナー生地５、および裏側生地３とファスナー生地５とが密着することにより消失する。また、図８に示すように、縫製時に表側生地２と裏側生地３、表側生地２とファスナー生地５、および裏側生地３とファスナー生地５との間に生じた針穴９が、図９に示すように、溶着糸および熱接着テープ４が溶融することにより塞がれる。
【００２９】
このように、本実施形態によれば、生地と生地との間に隙間６が生ずることはなく、また針穴９も塞がれているので、縫製部からダニが侵入するおそれはまったくない。また、使用中に糸がほつれるようなことがあっても、縫製部に隙間が生ずるおそれはない。
【００３０】
したがって、本実施形態の布団カバー１はダニ対策に優れているといえる。
【００３１】
以上、本発明を実施形態に基づいて説明してきたが、本発明はかかる実施形態のみに限定されるものではなく、種々改変が可能である。
【００３２】
例えば、本実施形態では、袋体として布団カバーや布団側を例に取り説明されているが、本発明の適用は布団カバーや布団側に限定されるものではなく、ダニ対策が必要とされる各種袋体に適用でき、例えば枕カバーにも適用できる。
【産業上の利用可能性】
【００３３】
本発明は、ダニ対策が必要とされる布団カバーや布団側などの袋体に適用できる。
【図面の簡単な説明】
【００３４】
【図１】本発明の一実施形態に係る袋体の一例の概略図である。
【図２】本発明の袋体の製法の手順を示す説明図であって、側生地の間に熱接着テープを配置して挟み込んだ状態を示す。
【図３】同説明図であって、側生地をロック（インター）縫製により縫合した状態を示す。
【図４】同説明図であって、側生地とファスナー生地との間に熱接着テープを配置して挟み込んだ状態を示す。
【図５】同説明図であって、側生地を本縫い縫製により縫合した状態を示す。
【図６】縫製部に隙間が生じている状態を模式的に示す図である。
【図７】縫製部が融着層により密着されて隙間が消失した状態を模式的に示す図である。
【図８】縫製により針穴が生じた状態を模式的に示す図である。
【図９】針穴が融着層により塞がた状態を模式的に示す図である。
【図１０】特許文献１の提案に係る袋体の要部断面図である。
【符号の説明】
【００３５】
１      布団カバー
２      表側生地
３      裏側生地
４      熱接着テープ
５      ファスナー生地
６      隙間
８      融着層
９      針穴
【図１】
2009119194.tif 000003
【図２】
2009119194.tif 000004
【図３】
2009119194.tif 000005
【図４】
2009119194.tif 000006
【図５】
2009119194.tif 000007
【図６】
2009119194.tif 000008
【図７】
2009119194.tif 000009
【図８】
2009119194.tif 000010
【図９】
2009119194.tif 000011
【図１０】
2009119194.tif 000012